(57)【要約】【課題】本発明は地震によって免震建物等が大きく揺れ動いても免震建物等の外周部のカバー装置の先端部が境界線を越えたりフェンスと衝突して損傷するのを確実に防止することができる免震建物等の外周部のカバー装置を得るにある。【解決手段】免震建物の躯体の下部外周部に凹部が形成され境界線部位のよう壁との間を覆う免震建物等の外周部のカバー装置において、該免震建物等の外周部のカバー装置をよう壁の上部位置に先端部が位置するように凹部内の躯体に取付けられた伸縮可能なカバー支持体と、このカバー支持体の先端部に下端部が取付けられ上端部が凹部の上部壁にスライド移動可能に取付けられた目地カバーと、カバー支持体の先端部あるいは目地カバーの下端部を常時よう壁上に位置するように付勢する付勢機構と、目地カバーの下端部が境界線より突出しないように阻止する、よう壁に設けられたフェンス等のストッパー部材とで免震建物等の外周部のカバー装置を構成している。【選択図】  図８
2005016173.tif 000002
【特許請求の範囲】
【請求項１】
下部外周部に凹部が形成された免震建物等の躯体と境界線部位に前記凹部の上部位置よりも上部が下部に位置するよう壁との間を覆う免震建物等の外周部のカバー装置において、該免震建物等の外周部のカバー装置を前記よう壁の上部位置に先端部が位置するように、前記凹部内の躯体に取付けられた伸縮可能な少なくとも２個以上のカバー支持体と、この少なくとも２個以上のカバー支持体の先端部に下端部が取付けられ、上端部が前記凹部の上部壁にスライド移動可能に取付けられた目地カバーと、前記少なくとも２個以上のカバー支持体の先端部あるいは前記目地カバーの下端部を常時前記よう壁上に位置するように付勢する付勢機構と、前記目地カバーの下端部が前記境界線より突出しないように阻止する、前記よう壁に設けられたフェンス等のストッパー部材とからなることを特徴とする免震建物等の外周部のカバー装置。
【請求項２】
下部外周部に凹部が形成された免震建物等の躯体と境界線部位に前記凹部の上部位置よりも上部が下部に位置するよう壁との間を覆う免震建物等の外周部のカバー装置において、該免震建物等の外周部のカバー装置を前記よう壁の上部位置に先端部が位置するように、前記凹部内の躯体に取付けられた伸縮可能な少なくとも２個以上の四角枠状のリンク機構を用いたカバー支持体と、この少なくとも２個以上のカバー支持体の先端部に下端部が取付けられ、上端部が前記凹部の上部壁に取付けられた少なくとも２個以上のガイドレール、この少なくとも２個以上のガイドレールにローラーを介してスライド移動するスライド移動体とからなるスライド移動機構のスライド移動体に取付けられた目地カバーと、前記少なくとも２個以上のカバー支持体の先端部あるいは前記目地カバーの下端部を常時前記よう壁上に位置するように付勢する付勢機構と、前記目地カバーの下端部が前記境界線より突出しないように阻止する、前記よう壁に設けられたフェンス等のストッパー部材とからなることを特徴とする免震建物等の外周部のカバー装置。
【請求項３】
下部外周部に凹部が形成された免震建物等の躯体と境界線部位に前記凹部の上部位置よりも上部が下部に位置するよう壁との間を覆う免震建物等の外周部のカバー装置において、該免震建物等の外周部のカバー装置を前記よう壁の上部位置に先端部が位置するように、前記凹部内の躯体に取付けられた伸縮可能な少なくとも２個以上の伸縮筒を用いたカバー支持体と、この少なくとも２個以上のカバー支持体の先端部に下端部が取付けられ、上端部が前記凹部の上部壁に取付けられた少なくとも２個以上の吊りレール、この少なくとも２個以上の吊りレールにスライド移動可能に取付けられた吊り具とからなるスライド移動機構の吊り具に取付けられた目地カバーと、前記少なくとも２個以上のカバー支持体の先端部あるいは前記目地カバーの下端部を常時前記よう壁上に位置するように付勢する付勢機構と、前記目地カバーの下端部が前記境界線より突出しないように阻止する、前記よう壁に設けられたフェンス等のストッパー部材とからなることを特徴とする免震建物等の外周部のカバー装置。
【発明の詳細な説明】
【０００１】
【発明の属する技術分野】
本発明は免震建物等の下部外周部と目地部を介して境界線部位に設けられたよう壁との間を覆う免震建物等の外周部のカバー装置に関する。
【０００２】
【従来の技術】
従来の免震建物等の外周部のカバー装置は、免震建物等の外壁にカバーを固定的に取付けていた。
【０００３】
［特許文献］      特開平１０−１５２９０３
【０００４】
【発明が解決しようとする課題】
従来の免震建物等の外周部のカバー装置は境界線部位によう壁が設けられていると、地震等によって免震建物等が大きく揺れ動いた場合、カバー装置の先端部が境界線を越えたり、境界線にフェンスが設けられていると、該フェンスと衝突して損傷してしまうという欠点があった。
【０００５】
本発明は以上のような従来の欠点に鑑み、地震によって免震建物等が大きく揺れ動いても、免震建物等の外周部のカバー装置の先端部が境界線を越えたり、フェンスと衝突して損傷するのを確実に防止することができる免震建物等の外周部のカバー装置を提供することを目的としている。
【０００６】
本発明の前記ならびにそのほかの目的と新規な特徴は次の説明を添付図面と照らし合わせて読むと、より完全に明らかになるであろう。
ただし、図面はもっぱら解説のためのものであって、本発明の技術的範囲を限定するものではない。
【０００７】
【課題を解決するための手段】
上記目的を達成するために、本発明は下部外周部に凹部が形成された免震建物等の躯体と境界線部位に前記凹部の上部位置よりも上部が下部に位置するよう壁との間を覆う免震建物等の外周部のカバー装置において、該免震建物等の外周部のカバー装置を前記よう壁の上部位置に先端部が位置するように、前記凹部内の躯体に取付けられた伸縮可能な少なくとも２個以上のカバー支持体と、この少なくとも２個以上のカバー支持体の先端部に下端部が取付けられ、上端部が前記凹部の上部壁にスライド移動可能に取付けられた目地カバーと、前記少なくとも２個以上のカバー支持体の先端部あるいは前記目地カバーの下端部を常時前記よう壁上に位置するように付勢する付勢機構と、前記目地カバーの下端部が前記境界線より突出しないように阻止する、前記よう壁に設けられたフェンス等のストッパー部材とで免震建物等の外周部のカバー装置を構成している。
【０００８】
【発明の実施の形態】
以下、図面に示す実施の形態により、本発明を詳細に説明する。
【０００９】
図１ないし図９に示す本発明の第１の実施の形態において、１は下部外周部に凹部２が形成された免震建物３等の躯体３ａと境界線４部位に前記凹部２の上部位置２ａよりも上部が下部に位置するよう壁５との隙間６を覆う本発明の免震建物等の外周部のカバー装置で、この免震建物等の外周部のカバー装置１は前記よう壁５の上部位置に先端部が位置するように前記凹部２内の躯体３ｂに取付けられた伸縮可能な少なくとも２個以上のカバー支持体７、７と、この少なくとも２個以上のカバー支持体７、７の先端部に下端部が取付けられ、上端部が前記凹部２の上部壁２ａに取付けられたスライド移動機構８、８を介してスライド移動可能に取付けられた目地カバー９と、前記少なくとも２個以上のカバー支持体７、７の先端部を常時前記よう壁５上に位置するように付勢する付勢機構１０と、前記目地カバー９の下端部が前記境界線４より突出しないように阻止する、前記よう壁５に設けられたフェンス等のストッパー部材１１と、前記凹部２の開口端部の上部壁２ａに複数本のビス１２等によって固定されたアングル状の水切りカバープレート１３とで構成されている。
【００１０】
前記少なくとも２個以上のカバー支持体７、７は図４に示すように、四角枠形状のリンク機構１４と、このリンク機構１４の一方の枢支部１４ａに枢支された躯体取付板１５と、前記リンク機構１４の他方の枢支部１４ｂに枢支された目地カバー取付板１６とで構成されている。
【００１１】
前記目地カバー９は図５に示すように前記よう壁５の上部に下端部が位置し、上端部が前記凹部２の上部壁２ａの開口部寄りの部位に位置する傾斜面の目地カバー本体１７と、この目地カバー本体１７の下端部と一体形成された下方へ突出する水切りプレート１８と、前記目地カバー本体１７の上端部と一体形成された上方へ突出する取付片１９とで構成されている。
【００１２】
前記スライド移動機構８、８は図６に示すように、前記凹部２の上部壁２ａに取付けられたリップミゾ形鋼形状のレール２０、２０と、このレール２０、２０内をスライド移動するローラー２１、２１が取付けられた、前記目地カバー９の取付片１９と複数本のビス２２で取付けられる目地カバー取付片２３、２３とで構成されている。
【００１３】
前記付勢機構１０は図７に示すように、一端が前記リンク機構１４、１４間の凹部２内の躯体３ｂに一端部が枢支され、ローラー２４が取付けられた他端部が前記目地カバー９の水切りプレート１８あるいは目地カバー取付板１６を押し圧できるようにほぼ４５゜の傾斜に配置された押し圧杆２５と、この押し圧杆２５のほぼ中央部に枢支ピン２６で一端部が枢支され、ローラー２７が取付けられた他端部が前記凹部２内の躯体３ｂにほぼ４０゜の傾斜で当接する支持杆２８と、この支持杆２８の他端部と前記押し圧杆２５の一端部とに両端部が取付けられた常時該押し圧杆２５が突出する方向に付勢するコイルスプリング２９と、前記支持杆２８の遊端部のローラー２７をガイドする凹部２内の躯体３ｂに取付けられたガイドレール３０とで構成されている。
【００１４】
上記構成の免震建物等の外周部のカバー装置１は、付勢機構１０によって目地カバー９の先端部である下端部が常時フェンス等のストッパー部材１１に当接するように付勢され、目地カバー９でよう壁５の上部と免震建物３等の外周部の躯体３ａとの間の隙間６を覆っている。
【００１５】
地震等によって免震建物３等がよう壁５方向へ揺れ動いた場合には、図８に示すように目地カバー９の先端部である下端部がストッパー部材１１に当接しているのでカバー支持体７、７を収縮させるとともに、目地カバー９の上端部をスライド移動機構８、８のレール２０、２０に沿って凹部２の内側へ押し込まれ、その揺れ動きを吸収する。
【００１６】
免震建物３等がよう壁５より離れるように揺れ動いた場合には、図９に示すように目地カバー９の先端部である下端部がストッパー部材１１より離れて、その揺れ動きを吸収する。
なお、目地カバー９の下端部がストッパー部材１１より離れると隙間６が開口するが、該隙間６はフェンス等のストッパー部材１１が設けられた内側部位であるので、人が入り込むことがない場所であるため、問題が生じることがない。
【００１７】
【発明の異なる実施の形態】
次に、図１０ないし図２２に示す本発明の異なる実施の形態につき説明する。なお、これらの本発明の異なる実施の形態の説明に当って、前記本発明の第１の実施の形態と同一構成部分には同一符号を付して重複する説明を省略する。
【００１８】
図１０ないし図１２に示す本発明の第２の実施の形態において、前記本発明の第１の実施の形態と主に異なる点は、リンク機構１４、１４の一方のリンク１４ｃ、１４ｃを凹部２内の躯体３ｂにローラー２４、２４を介して当接するように突出させた押し圧杆２５Ａ、２５Ａと、この押し圧杆２５Ａ、２５Ａの遊端部を常時前記リンク機構１４、１４の躯体取付板１５、１５方向に付勢するコイルスプリング２９と、前記押し圧杆２５Ａ、２５Ａの遊端部に取付けられたローラー２４、２４をガイドするガイドレール３０、３０と、このガイドレール３０、３０に取付けられた前記リンク機構１４、１４の他端部の突出量を規制するストッパー片３１、３１とからなる付勢機構１０Ａ、１０Ａを用いた点で、このような付勢機構１０Ａ、１０Ａを用いて構成した免震建物等の外周部のカバー装置１Ａにしても、前記本発明の第１の実施の形態と同様な作用効果が得られる。
【００１９】
図１３ないし図１５に示す本発明の第３の実施の形態において、前記本発明の第１の実施の形態と主に異なる点は、伸縮する複数本、本発明の実施の形態では３本の伸縮可能なパイプ３２、３３、３４を用いた少なくとも２個以上のカバー支持体７Ａ、７Ａを使用するとともに、吊りレール３５、３５にスライド移動可能に取付けられた目地カバー９の取付片１９に複数本のビス２２で取付けられる吊り具３６、３６を使用したスライド移動機構８Ａ、８Ａを用いた点で、このように構成した免震建物等の外周部のカバー装置１Ｂにしても、前記本発明の第１の実施の形態と同様な作用効果が得られる。
【００２０】
図１６ないし図１８に示す本発明の第４の実施の形態において、前記本発明の第３の実施の形態と主に異なる点は、３本の伸縮可能なパイプ３２、３３、３４内に常時伸長方向に突出させ、付勢機構としてのスプリング３７、３７を内臓した少なくとも２個以上のカバー支持体７Ｂ、７Ｂと、該カバー支持体７Ｂ、７Ｂの所定以上の伸長を阻止するワイヤー３８、３８とを用いた点で、このように構成した免震建物等の外周部のカバー体１Ｃにしても、前記本発明の第３の実施の形態と同様な作用効果が得られる。
【００２１】
図１９ないし図２２に示す本発明の第５の実施の形態において、前記本発明の第１の実施の形態と主に異なる点は、凹部２内の躯体３ｂに後端部に溶接等によって固定された取付板３９が複数本のビス４０等によって固定された、凹部２の幅寸法のほぼ２分の１の寸法のリップミゾ形鋼形状の固定支持体４１と、この固定支持体４１の遊端部内に上下面に取付けられたローラー４２、４２と、このローラー４２、４２によってスライド移動可能に取付けられた先端部に溶接等によって取付けられた取付板４３が複数本のビス４０等によって目地カバー９の水切りプレート１３に固定される可動支持体４４と、この可動支持体４４の後端部の上下面に取付けられた、前記固定支持体４１の上下面を回転移動するローラー４５、４５とからなる少なくとも２個以上のカバー支持体７Ｃ、７Ｃと、上部を７字状に折り曲げた目地カバー９Ａを用いた点で、このように構成された免震建物等の外周部のカバー体１Ｄにしても、前記本発明の第１の実施の形態と同様な作用効果が得られる。
なお、本発明の実施の形態では固定支持体４０と可動支持体４３との間に中間支持体を設けてもよい。
【００２２】
【発明の効果】
以上の説明から明らかなように、本発明にあっては次に列挙する効果が得られる。
【００２３】
（１）下部外周部に凹部が形成された免震建物等の躯体と境界線部位に前記凹部の上部位置よりも上部が下部に位置するよう壁との間を覆う免震建物等の外周部のカバー装置において、該免震建物等の外周部のカバー装置を前記よう壁の上部位置に先端部が位置するように、前記凹部内の躯体に取付けられた伸縮可能な少なくとも２個以上のカバー支持体と、この少なくとも２個以上のカバー支持体の先端部に下端部が取付けられ、上端部が前記凹部の上部壁にスライド移動可能に取付けられた目地カバーと、前記少なくとも２個以上のカバー支持体の先端部あるいは前記目地カバーの下端部を常時前記よう壁上に位置するように付勢する付勢機構と、前記目地カバーの下端部が前記境界線より突出しないように阻止する、前記よう壁に設けられたフェンス等のストッパー部材とで構成されているので、境界線を越えるような揺れ動きが生じた場合には、目地カバーがフェンス等のストッパー部材によって凹部内へ収納させることができる。
したがって、境界線を越える不具合を確実に防止することができる。
【００２４】
（２）前記（１）によって、目地カバーによって通常時はよう壁の上部と免震建物等の外周部との間を覆うことができる。
【００２５】
（３）前記（１）によって、よう壁より離れるように免震建物等が揺れ動いた場合には、目地カバーの下端部である先端部がよう壁より離れるように移動して、その揺れ動きを吸収することができる。
【００２６】
（４）前記（１）によって、目地カバーが凹部内へ収納されても、揺れ動きが停止すると付勢機構によって、自動的に元の状態へ戻すことができる。
【００２７】
（５）前記（１）によって、構造が簡単であるので、容易に実施することができる。
【００２８】
（６）請求項２、３も前記（１）〜（５）と同様な効果が得られる。
【図面の簡単な説明】
【図１】本発明の第１の実施の形態の設置状態の説明図。
【図２】図１の２−２線に沿う拡大断面図。
【図３】図１の３−３線に沿う拡大断面図。
【図４】本発明の第１の実施の形態のカバー支持体の説明図。
【図５】本発明の第１の実施の形態の目地カバーの説明図。
【図６】本発明の第１の実施の形態のスライド移動機構の説明図。
【図７】本発明の第１の実施の形態の付勢機構の説明図。
【図８】本発明の第１の実施の形態のよう壁方向への動作説明図。
【図９】本発明の第１の実施の形態のよう壁より離れる動作説明図。
【図１０】本発明の第２の実施の形態の平面図。
【図１１】本発明の第２の実施の形態の底面図。
【図１２】図１０の１２−１２線に沿う拡大断面図。
【図１３】本発明の第３の実施の形態の平面図。
【図１４】本発明の第３の実施の形態の底面図。
【図１５】図１３の１５−１５線に沿う拡大断面図。
【図１６】本発明の第４の実施の形態の平面図。
【図１７】本発明の第４の実施の形態の底面図。
【図１８】図１６の１８−１８線に沿う拡大断面図。
【図１９】本発明の第５の実施の形態の平面図。
【図２０】本発明の第５の実施の形態の底面図。
【図２１】図１９の２１−２１線に沿う拡大断面図。
【図２２】本発明の第５の実施の形態のカバー支持体の説明図。
【符号の説明】
１、１Ａ、１Ｂ、１Ｃ、１Ｄ：免震建物等の外周部のカバー装置、
２：凹部、              ３：免震建物、
４：境界線、            ５：よう壁、
６：隙間、
７、７Ａ、７Ｂ、７Ｃ：カバー支持体、
８、８Ａ：スライド移動機構、
９、９Ａ：目地カバー、  １０、１０Ａ：付勢機構、
１１：ストッパー部材、  １２：ビス、
１３：水切りカバープレート、
１４：リンク機構、      １５：躯体取付板、
１６：目地カバー取付板、１７：目地カバー本体、
１８：水切りプレート、  １９：取付片、
２０：レール、          ２１：ローラー、
２２：ビス、            ２３：目地カバー取付片、
２４：ローラー、        ２５、２５Ａ：押し圧杆、
２６：枢支ピン、        ２７：ローラー、
２８：支持杆、          ２９：コイルスプリング、
３０：ガイドレール、    ３１：ストッパー片、
３２、３３、３４：パイプ、
３５：吊りレール、      ３６：吊り具、
３７：スプリング、      ３８：ワイヤー、
３９：取付板、          ４０：ビス、
４１：固定支持体、      ４２：ローラー、
４３：取付板、          ４４：可動支持体、
４５：ローラー。
【図１】
2005016173.tif 000003
【図２】
2005016173.tif 000004
【図３】
2005016173.tif 000005
【図４】
2005016173.tif 000006
【図５】
2005016173.tif 000007
【図６】
2005016173.tif 000008
【図７】
2005016173.tif 000009
【図８】
2005016173.tif 000010
【図９】
2005016173.tif 000011
【図１０】
2005016173.tif 000012
【図１１】
2005016173.tif 000013
【図１２】
2005016173.tif 000014
【図１３】
2005016173.tif 000015
【図１４】
2005016173.tif 000016
【図１５】
2005016173.tif 000017
【図１６】
2005016173.tif 000018
【図１７】
2005016173.tif 000019
【図１８】
2005016173.tif 000020
【図１９】
2005016173.tif 000021
【図２０】
2005016173.tif 000022
【図２１】
2005016173.tif 000023
【図２２】
2005016173.tif 000024